(57)【要約】【課題】豊富な階調と微細な文字や画線を表現でき、かつ高い見当精度とゴミなどによる欠陥の無い高品質のグラビア印刷版の提供にある。【解決手段】大きさが可変でその最大がスクリーン線数で定義され、最小はインキの転移が良好に行われる所要の大きさでなる主セル１０と、該主セル１０の間に配置され、開口面積率が１〜３％の微小副セル２０からなるグラビア印刷版で、前記微小副セル２０が主セル１０の配列に対し４５度回転の配列で、その間隔Ｘが主セル１０の間隔Ｙの１／√２で、かつ主セル１０と主セル１０の中間に配置されていて、前記微小副セル２０の配置は、主セル１０の開口面積率が６０％以下の領域であるグラビア印刷版である。【選択図】図１
2005103889.tif 000002
【特許請求の範囲】
【請求項１】
大きさが可変でその最大がスクリーン線数で定義される主セルと、該主セルの間に配置される微小副セルからなるグラビア印刷版において、前記微小副セルが主セルの配列に対し４５度回転の配列でなり、その間隔が主セルの間隔の１／√２で、かつ主セルと主セルの中間に配置されていることを特徴とするグラビア印刷版。
【請求項２】
上記微小副セルは、開口面積率が０．１〜３％であることを特徴とする請求項１記載のグラビア印刷版。
【請求項３】
上記微小副セルの配置は、主セルの開口面積率が６０％以下の領域であることを特徴とする請求項１または２記載のグラビア印刷版。
【発明の詳細な説明】
【技術分野】
【０００１】
本発明は、グラビア印刷に用いるグラビア印刷版に関するものであり、特に印刷の階調表現を滑らかにするグラビア印刷版に関する。
【背景技術】
【０００２】
従来、グラビア製版の方式としてはコンベンショナルグラビアに代表される腐食法と機械的彫刻法に大別される。腐食法のうちコンベンショナルグラビア法はカーボンチッシュに白線スクリーンを焼き付け、連続調のポジを焼き付けることによって版に深度差をつけ、階調表現を行っている。また、連続調のフィルムの安定性が低い事を改良した網グラビア法も用いられている。この網グラビア法としては、深度は同じでセルの開口面積のみを変化させて階調表現を行う方法（以下ポーシェル法という）や、網点を焼き付ける際に拡散フィルムを用いて、開口面積と共に深度差をつける製版法（以下ＴＨグラビア法という）も用いられているが、特にこのＴＨグラビア法は開口面積と深度の両方を同時に変化させる事ができるため階調表現が豊かで、品質要求度の高い印刷物に用いられている（例えば、非特許文献１参照。）。
【０００３】
これに対して機械的彫刻法は原稿の濃淡をダイヤモンドの針の彫刻深さに変換して彫刻するもので、三角錐の針を用いる事で彫刻セルの深さと開口寸法を同時に変えることができる。また、レーザー光や電子線を用いてシリンダー上の金属を直接昇華させて穴を形成する方法もある。
【０００４】
上記機械的彫刻法の難点は文字や罫線などの直線的なものの描画である。機械的にドットを配置する事が原理であるので、どうしても直線が粗い点の集まりに見えてしまう事があり、文字の品質が要求される雑誌類では見た目で劣ることが問題となっている。また機械的彫刻法で解像力を上げるためには彫刻ドットを細かくすれば良いのであるが、一つ一つのセルを小さくすると開口面積の減少に伴って彫刻深さも小さくなるので、濃度が全体的に低下した印刷となってしまうことも問題であった。
【０００５】
その点において、腐食法では直線、文字の直線的なデータは充分に再現でき、機械的彫刻法では得られない深さの版を形成する事も可能なため、印刷濃度を上げながら細かい点を再現する事も可能となる。ただし腐食法ではポジフィルムをまず出力して、それをカーボンチッシュなどのフォトレジストに露光する必要があるため、露光時にゴミを焼き込んでしまうことや、ポジのずれや伸縮による見当のずれなどが問題であった。
【０００６】
また、上記ポーシェル法の露光部を走査形レーザー光に変えて、デジタル化した画像データを網点化したものを直接露光し、現像、腐食によりセルを形成する方法が近年現れ、普及している。これにより機械的彫刻法では表現できない細線や文字を従来の腐食法と同等の質で表現でき、しかもゴミの焼き込みやポジフィルムの伸縮に左右されない高い品質のシリンダーを作製できるようになった。しかし、この方法はセルの深度が一定で、セルの開口面積のみで階調を表現しなければならないため、ポーシェル法のドットのままでは、ＴＨグラビアの階調表現は難しいことが判った。
【０００７】
上記版式と階調表現の関係について図３、４、５に示す。図３は、コンベンショナル法の概略図であり、シャドウ、中間、ライトの濃度領域全てにわたって同じ面積率のセルで構成されている。印刷の濃淡はセルの深さの増減で表される。コンベンショナル法の滑らかな階調表現はインキがセルの土手を越えて広がる為に生じる現象で、セルとセルの間の土手が常に一定で狭いことがインキの広がりの要因となっている。図４は、ＴＨグラビア
法の概略図であり、この場合はセルの面積と深さが共に増減して印刷の濃淡を表現する。シャドウ、中間、ライトにわたって不定形なセルが土手を介して隣のセルに接している事が分かる。このため印刷の網点はセルが幾つか繋がった群として表現され、滑らかな階調表現が可能となる。また、図５は、ポーシェル法またはレーザー描画法の概略図である。この場合はセルの深さはほとんどの領域で変わらず、面積の変化で印刷の濃淡を表現するというものである。このポーシェル法またはレーザー描画法においては、印刷された網点はそれぞれ独立のセルからなり、かつ、シャドウ以外の領域ではセルとセルの間が離れてしまうため、コンベンショナル法やＴＨグラビア法に比べて、網点が群で表現されるという現象が成り立たずに、滑らかな階調性に劣っていた。
【０００８】
この階調の滑らかさを得ようとしたグラビア印刷版が開発されている。これは、彫刻法に関するもので、画像データにノイズ成分を付与する事で「セルの形状や大きさに揺らぎの要素」を与えようとしたものである。
【０００９】
しかしながら、コンベンショナル法やＴＨグラビア法のような滑らかな階調を得るには至っていなかった（例えば、特許文献１参照。）。
【００１０】
また、別の方法で、画像を形成する主凹部と、紙にインキ転移が起きないかまたは極めて少ない非着肉性の副凹部を設けて、滑らかな階調表現を実現しようとする技術がある。この方法は例えばその副凹部の線数が主凹部の線数の正確な√２倍の線数で、副凹部のスクリーン角度が主凹部スクリーン角度を４５度回転させ、かつ主凹部の間に正確に副凹部が配置された場合においては、滑らかな階調に有効となり得るが、その線数や配置が少しでもずれる事でモアレにも似た縞状のパターンが形成され、好ましくない場合があった（例えば、特許文献２参照。）。
【００１１】
以下に、上記先行技術文献を示す。
【非特許文献１】グラビア技術発達史−６０年の歩みと現状−、昭和５４年４月１日発行、        （印刷学会出版部）
【特許文献１】特開平１０−２６４３５０号公報
【特許文献２】特開平１１−３４２６７９号公報
【発明の開示】
【発明が解決しようとする課題】
【００１２】
本発明は、かかる従来技術の問題点を解決するものであり、その課題とするところは、従来のグラビア製版の方法で全てを満たす事がなかった、豊富な階調と微細な文字や画線を表現でき、かつ高い見当精度とゴミなどによる欠陥の無い高品質のグラビア印刷版を提供することにある。
【課題を解決するための手段】
【００１３】
本発明に於いて上記課題を達成するために、まず請求項１の発明では、大きさが可変でその最大がスクリーン線数で定義される主セルと、該主セルの間に配置される微小副セルからなるグラビア印刷版において、前記微小副セルが主セルの配列に対し４５度回転の配列でなり、その間隔が主セルの間隔の１／√２で、かつ主セルと主セルの中間に配置されていることを特徴とするグラビア印刷版としたものである。
【００１４】
また、請求項２の発明では、上記微小副セルは、開口面積率が０．１〜３％であることを特徴とする請求項１記載のグラビア印刷版としたものである。
【００１５】
さらにまた、請求項３の発明では、上記微小副セルの配置は、主セルの開口面積率が６０％以下の領域であることを特徴とする請求項１または２記載のグラビア印刷版としたものである。
【発明の効果】
【００１６】
本発明は以上の構成であるから、下記に示す如き効果がある。
【００１７】
即ち、上記請求項１に係る発明によれば、大きさが可変でその最大がスクリーン線数で定義される主セルと、該主セルの間に配置される微小副セルからなるグラビア印刷版において、前記微小副セルが主セルの配列に対し４５度回転の配列でなり、その間隔が主セルの間隔の１／√２で、かつ主セルと主セルの中間に配置されているので、主セルのインキの広がりを微小副セルのインキが促進するようになり、よって網点同士の結合が容易になる事から網点を独立でなく群として印刷し、滑らかな階調表現を行う事によって高品質のグラビア印刷版を提供できる効果がある。
【００１８】
また、上記請求項２に係る発明によれば、微小副セルの開口面積率を０．１〜３％の範囲とすることによって、印刷物全体の濃度に影響を与えることがなく、セルとセルを良好に繋げる役目を果たしてくれるという効果がある。
【００１９】
さらにまた、上記請求項３に係る発明によれば、微小副セルの配置を、主セルの開口面積率が６０％以下の領域にのみとすることによって、安定して副セルを配置させ形成できるので、主セルのインキの広がりを主セルの間に配した微小副セルのインキが促進して滑らかな階調表現を行うことのできる高品質のグラビア印刷版が提供できる。これはグラビア版の面積率は、グラビア印刷版（シリンダー）の彫刻された部分の面積を観察領域の面積で割る事で得られる。この場合グラビア印刷版の開口面積率は７０％から７５％ぐらいで最大となる。この開口面積率が６０％を越えた領域では、主セルの土手幅がインキの広がりを妨げるほど大きくない為、微小副セルは必要としない。また、開口面積率７０％位になると土手幅が微小副セルの大きさと同じぐらいになるので、主セルと主セルの間に副セルを形成するのが困難になる。以上の理由で面積率６０％以下の領域であれば安定して副セルを配置、形成できることになる。
【００２０】
また副次的効果とすれば、従来の網点が主ドットの線数で表現されるものが本発明によれば主ドットと微小副ドットがそれぞれの線数で表現される事により、あたかも倍の線数の網点で画像が表現されるようになり、わざわざデータ量の多い高解像度の画像を用いる事が無く倍の高画質を得られるようになることもあげられる。
【００２１】
従って本発明によれば、これまでのグラビア印刷版で全てを満たす事がなかった、所謂豊富で滑らかな階調が表現でき、かつ高い見当精度とゴミなどによる欠陥の無い高品質のグラビア印刷版を提供することができる。
【発明を実施するための最良の形態】
【００２２】
以下本発明を実施するための最良の形態を図面を用いて詳細に説明する。
【００２３】
図１（ａ）に請求項１に係る発明のグラビア印刷版の概略図を示す。シャドウ、中間、ライトの各領域にわたって主セル（１０）と微小副セル（２０）が配置されている。この配置が、例えば図１（ｂ）に示すように、微小副セル（２０）の配列に対し、４５°回転で配列され、微小副セル（２０）の間隔（Ｘ）が主セル（１０）の間隔（Ｙ）の１／√２であり、主セル（１０）と主セル（１０）の間に微小副セル（２０）が配置されるようになっている。
【００２４】
上記微小副セル（２０）の大きさは紙の違いなどでインキの転移性が変わるのに対応して必要に応じ０．１〜３％の範囲で開口面積率の大きさを変更する事ができる。この微小副セルの開口面積率を０．１〜３％の範囲とすることによって、印刷物全体の濃度に影響を与えることがなく、セルとセルを良好に繋げる役目を果たしてくれる。
【００２５】
印刷階調は、主に主セルの面積率を変える事によって対応するが、ライト側では微小副セル（２０）の大きさと差が無くなってくるので、主セル（１０）と微小副セル（２０）の面積の和からグラデーションカーブを作製する。また、微小副セル（２０）の数を増やすことで主セル（１０）の面積増加で表現できない滑らかな階調を表現する事も可能である。
【００２６】
以上の情報を持ったポジ原稿に基づいて従来のポーシェル法で製版を行うか、もしくはデジタル版情報に基づいて、感光膜を形成した被膜形成面を露光して現像し、又は、レーザアブレーションされ得る被膜を形成した被膜形成面にレーザアブレーションし、次いで、現像又はレーザアブレーションにより露出した金属面をエッチングし、次いでレジスト剥離し、次いで硬質クロムメッキを設けて、本発明のグラビア印刷版を得ることができる。
【００２７】
また、上記請求項２に係る発明のグラビア印刷版について説明する。図１（ａ）、（ｂ）に示すように、開口面積率６０％以下の領域で主セル（１０）と微小副セル（２０）が配置されていて、この微小副セル（２０）の大きさは紙の違いなどでインキの転移性が変わるのに対応して必要であれば大きさを変更する事ができる。印刷階調は主に主セル（１０）の面積率を変える事によって対応するが、ライト側（Ｒ）では微小副セル（２０）の大きさと差が無くなってくるので、主セル（１０）と微小副セル（２０）の和からグラデーションカーブを作製するのは従来方法と同じである。開口面積率が６０％を越えた領域即ちシャドウ側（Ｓ）では、主セル（１０）の土手幅がインキの広がりを妨げるほど大きくない為、微小副セル（２０）は必要ない。また、開口面積率７０％ぐらいになると主セル（１０）の土手幅が微小副セル（２０）の大きさと同じぐらいになるので、主セル（１０）と主セル（１０）の間に微小副セル（２０）を形成するのが困難になる。以上の理由で開口面積率６０％以下の領域であれば安定して微小副セル（２０）を配置、形成できる。
【００２８】
図２（ｂ）に従来の方法で刷られた印刷物と、図２（ａ）に本発明のグラビア印刷版によって刷られた印刷物を示す。これによると、図２（ｂ）の従来の方法では、網点同士のつながりが不均一で、階調の滑らかさに欠けていたが、図２（ａ）に示す本発明のグラビア印刷版による印刷物では、主セルの印刷網点同士を不可視の副セル網点が結び付ける事で滑らかな階調が表現できる。
【図面の簡単な説明】
【００２９】
【図１】本発明のグラビア印刷版の一事例を示すもので、（ａ）は、その断面模式図と平面図であり、（ｂ）は、その平面を表す拡大図である。
【図２】（ａ）は、本発明のグラビア印刷版による印刷物の拡大図であり、  （ｂ）は、従来のグラビア印刷版による印刷物の拡大図である。
【図３】従来のコンベンショナル法によるグラビア印刷版の断面模式図と平面図である。
【図４】従来のＴＨグラビア法によるグラビア印刷版の断面模式図と平面図である。
【図５】従来のポーシェル法、レーザー腐食法によるグラビア印刷版の断面模式図と平面図である。
【符号の説明】
【００３０】
１０‥‥主セル
２０‥‥微小副セル
Ｓ‥‥シャドウ部側
Ｒ‥‥ライト側
【図１】
2005103889.tif 000003
【図２】
2005103889.tif 000004
【図３】
2005103889.tif 000005
【図４】
2005103889.tif 000006
【図５】
2005103889.tif 000007